(57)【要約】【課題】  車両空調用電子制御装置にてフラッシュメモリ２５ｂの記憶領域の有効利用を可能にする。【解決手段】  車両空調用電子制御装置にてマイクロコンピュータ２５ａは、空調制御用コンピュータプログラムの実行に際して、車両タイプ毎に異なる空調データを用いるようになっており、フラッシュメモリ２５ｃには、車両タイプ毎に空調データを示す特性グラフが複数種記憶されている。マイクロコンピュータ２５ａは、初期設定時にて、搭載車両のタイプを示す車両情報をエンジンＥＣＵ４０から取得し、この取得された車両情報に基づいて、複数種の特性グラフのうち空調制御用コンピュータプログラムの実行に用いる特性グラフを選択し、複数種の特性グラフのうちこの選択される特性グラフだけをフラッシュメモリ２５ｂに残してそれ以外の他のグラフを消去する。【選択図】        図２
2006082594.tif 000002
【特許請求の範囲】
【請求項１】
車載空調機器（１、２）を制御するための空調制御用コンピュータプログラムを記憶する記憶媒体（２５ｂ）と、
前記空調制御用コンピュータプログラムを実行する制御回路（２５ａ）と、を備える車両空調用電子制御装置であって、
前記制御回路は、前記空調制御用コンピュータプログラムの実行に際して、搭載車両のタイプ毎に異なる空調データ（Ｔｗ）を用いるようになっており、
前記記憶媒体には、前記搭載車両のタイプ毎に前記空調データが複数種記憶されており、
前記制御回路（Ｓ２、Ｓ４〜Ｓ６）は、
初期設定時にて、搭載車両のタイプを示す車両情報を他の電子制御装置（４０）から取得し、
この取得された車両情報に基づいて、前記複数種の空調データのうち、前記空調制御用コンピュータプログラムの実行に用いる空調データを選択し、
前記複数種の空調データのうち、前記選択手段により選択される空調データだけを前記記憶媒体に残して前記選択される空調データ以外の他の空調データを前記記憶媒体から消去することを特徴とする車両空調用電子制御装置。
【請求項２】
前記制御回路は、
前記選択手段により選択された空調データを前記記憶媒体に残すに際して、前記複数種の空調データを記憶する記憶領域（Ｘａ）から他の記憶領域（Ｘｂ）に、前記選択手段により選択された空調データを移動することを特徴とする請求項１に記載の車両空調用電子制御装置。
【請求項３】
前記制御回路は、車載ローカルエリアネットワークを通して前記他の電子制御装置から前記車両情報を取得するものであることを特徴とする請求項１または２に記載の車両空調用電子制御装置。
【請求項４】
前記記憶媒体には、前記複数種の空調データがそれぞれ圧縮された状態で記憶されていることを特徴とする請求項１ないし３のいずれか１つに記載の車両空調用電子制御装置。
【請求項５】
前記記憶媒体には、前記空調データを選択するためのタイプ選択コンピュータプログラムが記憶されており、
前記制御回路は、前記タイプ選択コンピュータプログラムの実行後に、前記タイプ選択コンピュータプログラムが前記記憶媒体から消去することを特徴とする請求項１ないし４のいずれか１つに記載の車両空調用電子制御装置。
【発明の詳細な説明】
【技術分野】
【０００１】
本発明は、車載空調機器を制御する車両空調用電子制御装置に関する。
【背景技術】
【０００２】
従来、この種の車両空調用電子制御装置において、マイクロコンピュータが空調制御用コンピュータプログラムを実行して車室内空調ユニットの各アクチュエータを制御するものがある（例えば、特許文献１参照）。
【０００３】
当該電子制御装置においては、その搭載される車両タイプ毎に、車室内空調ユニットに対する制御内容が異なる。このため、車両空調用電子制御装置の汎用化を図るために、マイクロコンピュータは、車両タイプ毎に異なる空調データを用いて、空調制御用コンピュータプログラムを実行している。このため、記憶媒体には、複数種の車両タイプに対応して、複数種の空調データが予め記憶されるようにしてある。
【特許文献１】特開２００１−２６０６３８号公報
【発明の開示】
【発明が解決しようとする課題】
【０００４】
ところで、上述の特許文献１に記載の車両空調用電子制御装置では、搭載される車両タイプが違っていても、ハードウェア構成およびソフトウェア構成において、変更を加える必要が無く、共通化を図ることができるものの、複数種の空調データを記憶媒体に記憶させて必要がある。
【０００５】
ここで、複数種の空調データを記憶媒体に記憶させておいても、実際には、その搭載される車両タイプに対応する空調データを使用するだけで、その他の空調データは使用されなく、無駄になる。このため、記憶媒体の記憶領域を無駄に占有することになる。
【０００６】
本発明は、上記点に鑑み、記憶媒体の記憶領域の有効利用を可能にする車両空調用電子制御装置を提供することを目的とする。
【課題を解決するための手段】
【０００７】
上記目的を達成するため、請求項１に記載の発明では、
車載空調機器（１、２）を制御するための空調制御用コンピュータプログラムを記憶する記憶媒体（２５ｂ）と、
前記空調制御用コンピュータプログラムを実行する制御回路（２５ａ）と、を備える車両空調用電子制御装置であって、
前記制御回路は、前記空調制御用コンピュータプログラムの実行に際して、搭載車両のタイプ毎に異なる空調データ（Ｔｗ）を用いるようになっており、
前記記憶媒体には、前記搭載車両のタイプ毎に前記空調データが複数種記憶されており、
前記制御回路（Ｓ２、Ｓ４〜Ｓ６）は、
初期設定時にて、搭載車両のタイプを示す車両情報を他の電子制御装置（４０）から取得し、
この取得された車両情報に基づいて、前記複数種の空調データのうち、前記空調制御用コンピュータプログラムの実行に用いる空調データを選択し、
前記複数種の空調データのうち、前記選択手段により選択される空調データだけを前記記憶媒体に残して前記選択される空調データ以外の他の空調データを前記記憶媒体から消去することを特徴とする。
【０００８】
したがって、記憶媒体において、他の空調データが消去されてその他の空調データの記憶領域を空き領域とすることができるため、その空き領域を空調データ以外の他のデータの記憶領域に利用することが可能になり、記憶媒体の記憶領域の有効利用を可能にすることができる。
【０００９】
例えば、請求項２に記載の発明では、請求項１に記載の車両空調用電子制御装置において、
前記制御回路は、
前記選択手段により選択された空調データを前記記憶媒体に残すに際して、前記複数種の空調データを記憶する記憶領域（Ｘａ）から他の記憶領域（Ｘｂ）に、前記選択手段により選択された空調データを移動することを特徴とする。
【００１０】
したがって、前記記憶媒体において、初期設定領域として、１つの空き領域を確保することができるので、空き領域が分散している場合に比べて、その初期設定領域としての空き領域が利用し易くなる。
【００１１】
また、請求項３に記載の発明によれば、前記制御回路は、車載ローカルエリアネットワークを通して前記他の電子制御装置から前記車両情報を取得するようにしてもよい。
【００１２】
また、請求項４に記載の発明のように、記憶媒体には、前記複数種の空調データがそれぞれ圧縮された状態で記憶されていれば、複数種の空調データを非圧縮状態で記憶する場合に比べて、記憶媒体としてその記憶領域を小さいものを用いることができる。
【００１３】
さらに、請求項５に記載の発明では、
記憶媒体には、前記空調データを選択するためのタイプ選択コンピュータプログラムが記憶されており、
前記制御回路は、前記タイプ選択コンピュータプログラムの実行後に、前記タイプ選択コンピュータプログラムが前記記憶媒体から消去すれば、記憶媒体のうち空き領域をより広くすることができるため、その空き領域がさらに利用し易くなる。
【００１４】
なお、上記各手段の括弧内の符号は、後述する実施形態に記載の具体的手段との対応関係を示すものである。
【発明を実施するための最良の形態】
【００１５】
図１は、本発明の車両空調用電子制御装置が適用された車両用空調装置の全体構成の概要図であり、車両用空調装置の室内空調ユニットは、大別して送風ユニット１と、空調ユニット２とにより構成される。
【００１６】
送風ユニット１は内外気切替箱３と送風機４とから構成され、内外気切替箱３内の内外気切替ドア５により外気導入口６と内気導入口７を開閉する。これにより、内外気切替箱３内に外気（車室外空気）または内気（車室内空気）が切替導入される。内外気切替ドア５はサーボモータからなる電気駆動装置８によって駆動される。送風機４には遠心式送風ファン９と駆動用モータ１０が備えられている。
【００１７】
空調ユニット２には、空気通路２ｂを形成する空調ケース２ａが備えられ、この空調ケース２ａの上流側に冷凍サイクルを構成する蒸発器（冷房用熱交換手段）１１が配置され、この蒸発器１１の下流側にはエアミックスドア１２が配置されている。このエアミックスドア１２の下流側には車両エンジンの温水（冷却水）を熱源として空気を加熱する温水式ヒータコア（暖房用熱交換手段）１３が設置されている。この温水式ヒータコア１３の側方（上方部）には、温水式ヒータコア１３をバイパスして空気を流すバイパス通路１４が形成されている。
【００１８】
エアミックスドア１２は回動可能な板状ドアであり、サーボモータからなる電気駆動装置１５により駆動される。エアミックスドア１２は、温水式ヒータコア１３を通過する温風とバイパス通路１４を通過する冷風との風量割合を調節するものであって、この冷温風の風量割合の調節により車室内への吹出空気温度を調節する。従って、本例においては、エアミックスドア１２により車室内への吹出空気の温度調節手段が構成される。
【００１９】
温水式ヒータコア１３の下流側には下側から上方へ延びる温風通路１６が形成され、この温風通路１６からの温風とバイパス通路１４からの冷風が空気混合部１７で混合して、所望温度の空気を作り出すことができる。
【００２０】
さらに、空調ケース２ａ内で、空気混合部１７の下流側に吹出モード切替部が構成されている。すなわち、空調ケース２ａの上面部にはデフロスタ開口部１８が形成され、このデフロスタ開口部１８は図示しないデフロスタダクトを介して車両フロントガラス内面に空気を吹き出すものである。デフロスタ開口部１８は、回動自在な板状のデフロスタドア１９により開閉される。
【００２１】
また、空調ケース２ａの上面部で、デフロスタ開口部１８より車両後方側の部位にフェイス開口部２０が形成され、このフェイス開口部２０は図示しないフェイスダクトを介して車室内乗員の上半身に向けて空気を吹き出すものである。フェイス開口部２０は回動自在な板状のフェイスドア２１により開閉される。
【００２２】
また、空調ケース２ａにおいて、フェイス開口部２０の下側部位にフット開口部２２が形成され、このフット開口部２２から車室内乗員の足元に向けて空気を吹き出す。フット開口部２２は回動自在な板状のフットドア２３により開閉される。
【００２３】
上記した吹出モードドア１９、２１、２３は共通のリンク機構（図示せず）に連結され、このリンク機構を介してサーボモータからなる電気駆動装置２４により駆動される。
【００２４】
次に、本実施形態における電気制御部の概要を説明すると、車両空調用電子制御装置２５はＣＰＵ等からなる周知のマイクロコンピュータ２５ａと、電力供給を停止されても記憶データを記憶保持するフラッシュメモリ２５ｂと、電力供給を停止されると記憶データが消去されるＲＡＭ２５ｃと周辺回路となどから構成されるものである。
【００２５】
ここで、マイクロコンピュータ２５ａは、後述するように、空調制御用コンピュータプログラムを実行して、室内空調ユニット（車載空調機器）の各アクチュエータ（すなわち、電気駆動装置８、１５、２４、駆動用モータ１０）を制御する。
【００２６】
また、フラッシュメモリ２５ｂには、工場の製造出荷において、図２（ａ）に示すように、空調制御用コンピュータプログラム以外に、車両のタイプ毎に対応する複数種の空調データおよびタイプ選択プログラムが記憶されている。
【００２７】
ここで、複数種の空調データおよびタイプ選択プログラムは、データ圧縮されている。図２（ａ）中では、タイプＡ、タイプＢ、タイプＣといった３種類の空調データが記憶されている例が示されている。
【００２８】
さらに、フラッシュメモリ２５ｂには、複数種の空調データおよびタイプ選択プログラムの記憶領域Ｘａ（すなわち、図中上側領域）と、空調制御用コンピュータプログラムの記憶領域Ｘｃ（すなわち、図中下側領域）との間において、空調データ領域Ｘｂが確保されており、この空調データ領域Ｘｂは、後述するように実際に用いられる空調データを記憶するために使用される。
【００２９】
なお、以下、複数種の空調データおよびタイプ選択プログラムの記憶領域が記憶されている領域を初期設定領域Ｘａともいう。
【００３０】
ここで、タイプ選択プログラムは、後述するように、複数種の空調データのうち実際に用いる空調データを選択するためのプログラムである。また、ＲＡＭ２５ｃは、マイクロコンピュータ２５ａによるコンピュータプログラムの実行に伴うデータを記憶する。
【００３１】
一方、蒸発器１１の温度センサとして、サーミスタからなる温度センサ２６を有しており、この温度センサ２６は空調ケース２ａ内で蒸発器１１の空気吹出直後の部位に配置され、蒸発器吹出温度Ｔｅを検出する。
【００３２】
また、車両空調用電子制御装置２５には、上記の温度センサ２６の他に、空調制御のために、内気温Ｔｒ（車室内温度）、外気温Ｔａｍ（車室外温度）、日射量Ｔｓ、温水温度Ｔｗ’等を検出する周知のサーミスタ等の温度センサ２７〜３０から検出信号が入力される。なお、内気温Ｔｒを検出する内気センサ２７は、例えば、車室内計器盤の左右方向中央部の下側寄りの部位（センタクラスタ付近）に配置されて、車室内の代表的温度を内気温Ｔｒとして検出する。
【００３３】
また、温水温度Ｔｗ’は、エンジンの冷却水の温度を示すものであり、この温水温度Ｔｗ’を検出する温度センサ３０は、エンジンのウォータジャケット側に設けられている。
【００３４】
また、車室内計器盤近傍に設置される操作パネル３１には乗員により手動操作される操作スイッチ３２〜３６及び表示パネル３７（例えば、液晶パネル）が備えられ、この操作スイッチ３２〜３６の操作信号も車両空調用電子制御装置２５に入力される。
【００３５】
この操作スイッチとして、具体的には、車室内の希望温度が設定されて、かつこの希望温度を示す温度設定信号Ｔｓｅｔを発生する温度設定スイッチ３２、希望風量が設定されて、かつこの希望風量を示す風量切替信号を発生する風量スイッチ３３、希望の吹出口モードが設定されて、かつこの希望の吹出口モードを示す吹出モード信号を発生する吹出モードスイッチ３４、希望の内外気モードが設定されて、かつこの希望の内外気モードを示す内外気切替信号を発生する内外気切替スイッチ３５、冷凍サイクルの圧縮機（図示せず）の運転を断続するエアコンスイッチ３６等が設けられている。
【００３６】
また、表示パネル３７は、例えば液晶パネルであって、各スイッチ３２〜３５によって設定された希望温度、風量、吹出口モード、内外気モードなどを表示する。
【００３７】
さらに、車両空調用電子制御装置２５は、図３に示すように、ＣＡＮ、ＬＩＮ、ＢＥＡＮなどのローカルエリアネットワークによりエンジンＥＣＵ４０、ボデーＥＣＵ４１、およびナビＥＣＵ４２に繋がっている。
【００３８】
次に、本実施形態の作動を図４〜図９を参照して説明する。図４は、マイクロコンピュータ２５ａにより実行される初期設定用コンピュータプログラムを示すフローチャートである。
【００３９】
先ず、イグニッションスイッチＩＧがオンされて車両空調用電子制御装置２５に車載バッテリＢａから電力供給されると、マイクロコンピュータ２５ａが起動する。
【００４０】
これに伴い、ＣＰＵ２５１は、図４のフローチャートにしたがって、初期設定用コンピュータプログラムの実行を開始する。ここで、ステップＳ３、Ｓ４、Ｓ５、Ｓ６の各制御処理が上述のタイプ選択プログラムの処理内容に相当する。
【００４１】
先ず、初期設定フラグの状態に基づいて、初期設定は完了したか否かを判定する（ステップＳ１）。ここで、初期設定フラグは、ＲＡＭ２ｃ内に記憶されるデータであり、初期設定フラグがリセット状態であれば、初期設定が未完了であるとして、ステップＳ１においてＮＯと判定する。
【００４２】
次に、当該車両の車両タイプを示す車両情報を要求するための要求信号をエンジンＥＣＵ４０に車載ローカルエリアネットワークを介して送信する（ステップＳ２）。
【００４３】
なお、車両情報は、当該車両空調用電子制御装置２５が搭載されている車両のタイプを示す情報であり、本実施形態では、例えば、走行用エンジンの種類を示す情報が用いられる。
【００４４】
次に、エンジンＥＣＵ４０から車両情報を受信すると、ステップＳ３でＹＥＳと判定する。そして、この車両情報に基づいて、上述の３種類の空調データのうち、当該車両情報に対応する空調データを選択する（ステップＳ４）。すなわち、実際に搭載されている走行用エンジンに対応する空調データを選択する。
【００４５】
ここで、本実施形態の空調データとしては、図５に示すグラフＡ、Ｂ、Ｃで示される３種類の温水式ヒータコア１３の入口側温水温度Ｔｗが用いられる。グラフＡ、Ｂ、Ｃは、縦軸を温水温度Ｔｗ、横軸を温水温度Ｔｗ’とし、温水式ヒータコア１３の温水入口の温水温度Ｔｗと上述の温度センサ３０の検出温水温度Ｔｗ’との関係を示している。
【００４６】
但し、グラフＡは、走行用エンジンＡに対応する関係を示しており、グラフＢは、走行用エンジンＢに対応する関係を示しており、グラフＣは、走行用エンジンＣに対応する関係を示している。グラフＡ、Ｂ、Ｃは、それぞれ、走行用エンジン毎に異なる特性を示しており、後述するように、検出温水温度Ｔｗ’入力値として温水温度Ｔｗを算出する際に用いられる。
【００４７】
以上により、３種類の空調データのうち車両情報に対応する空調データが選択されることにより、グラフＡ、Ｂ、Ｃのうち、車両情報に対応するグラフが選択されることになる。
【００４８】
その後、フラッシュメモリ２５ｂにおいて、図２（ｂ）に示すように、当該選択された空調データ（すなわち、グラフ）を解凍して空調データ領域Ｘｂに書き写して（ステップＳ６）、初期設定フラグをセット状態にする。このことにより、ＲＡＭ２５ｃにおいて初期設定が完了済みである履歴を残すことになる。なお、図２（ｂ）では、タイプＢの空調データのみがフラッシュメモリ２５ｂに残されている例を示している。
【００４９】
その後、ステップＳ６において、フラッシュメモリ２５ｂのうち初期設定領域Ｘａを初期化する（ステップＳ７）。すなわち、初期設定領域Ｘａに記憶されている３種類の空調データＡ、Ｂ、Ｃおよびタイプ選択プログラムを消去する。そして、図２（ｃ）に示すように初期設定領域Ｘａをバックアップ領域に設定する。
【００５０】
このバックアップ領域は、イグニッションスイッチＩＧがオフされたときに、ＲＡＭ２５ｂにおいて記憶されているデータを一時的に避難させておくエリアである。当該データとしては、上述の初期設定フラグを示すデータである。その後、空調制御処理を行う（ステップＳ８）。以下、空調制御処理（ステップＳ８）について図６〜図９を参照して説明する。
【００５１】
図９は、空調制御処理を示すフローチャートであり、マイクロコンピュータ２５ａは、図９に示すフローチャートにしたがって、空調制御用コンピュータプログラムを実行する。
【００５２】
先ず、ステップＳ１２において、操作パネル３１の操作スイッチ３２〜３６の操作信号を読み込む。次のステップＳ１３で車両環境状態の信号、すなわち、センサ２６〜３０からの検出信号等を読み込む。
【００５３】
続いて、ステップＳ１４にて、車室内へ吹き出される空調風の目標吹出温度ＴＡＯを算出する。この目標吹出温度ＴＡＯは車室内を温度設定スイッチ３２の設定温度Ｔｓｅｔ（すなわち、希望温度）に維持するために必要な吹出温度であり、下記数式１に基づいて算出される。
【００５４】
ＴＡＯ＝Ｋｓｅｔ×Ｔｓｅｔ−Ｋｒ×Ｔｒ
−Ｋａｍ×Ｔａｍ−Ｋｓ×Ｔｓ＋Ｃ……（数１）
但し、Ｔｒ：内気センサ２７により検出される内気温
Ｔａｍ：外気センサ２８により検出される外気温
Ｔｓ：日射センサ２９により検出される日射量
Ｋｓｅｔ、Ｋｒ、Ｋａｍ、Ｋｓ：制御ゲイン
Ｃｚ：補正用定数
次に、ステップＳ１５にて送風機４により送風される空気の目標送風量、具体的には送風機駆動用モータ１０の印加電圧であるブロワ電圧レベルを上記ＴＡＯに基づいて決定する。
【００５５】
このブロワ電圧レベルは、図７に示すように、上記ＴＡＯの高温側（最大暖房側）および低温側（最大冷房側）でブロワ電圧レベルを増大させて最大風量（Ｈｉ）とし、そして、上記ＴＡＯの中間温度域でブロワ電圧レベルを減少させて最小風量（Ｌｏ）とする。
【００５６】
ここで、ブロワ電圧レベルは最大風量（ＨＩ）と最小風量（ＬＯ）との間で風量を多段階に制御するために、ＴＡＯに応じて多段階（例えば、３１段階）に変化するようになっている。
【００５７】
次に、ステップＳ１６にて内外気モードを決定する。この内外気モードは例えば設定温度Ｔｓｅｔに対して内気温Ｔｒが所定温度以上、大幅に高いとき（冷房高負荷時）に内気モードとし、その他の時は外気モードとする。あるいは、図８に示すように、上記ＴＡＯが低温側から高温側へ上昇するにつれて、全内気モード→内外気混入モード→全外気モードと切替設定してもよい。
【００５８】
次に、ステップＳ１７にて上記ＴＡＯに応じて吹出モードを決定する。この吹出モードは図９のごとくＴＡＯが低温側から高温側へ上昇するにつれてフェイスモード→バイレベルモード→フットモードと切替設定される。
【００５９】
次に、ステップＳ１８にて、エアミックスドア１２の目標開度ＳＷを上記ＴＡＯ、蒸発器吹出温度Ｔｅ、及び温水温度Ｔｗに基づいて次の数式２により算出する。
【００６０】
ＳＷ＝〔（ＴＡＯ−Ｔｅ）／（Ｔｗ−Ｔｅ）〕×１００（％）……（数式２）
ここで、温水温度Ｔｗとしては、上述のステップ４で選択された空調データとしての特性グラフと、温度センサ３０の検出温度から求められるものである。
【００６１】
そして、エアミックスドア１２の目標開度ＳＷは、エアミックスドア１２の最大冷房位置（図１の実線位置）を０％とし、エアミックスドア１２の最大暖房位置（図１の一点鎖線位置）を１００％とする百分率で表される。
【００６２】
次に、ステップＳ１９に進み、上記ステップＳ１５５〜Ｓ１５８で決定された制御状態が得られるように、各種アクチュエータ（８、１０、１５、２４等）に制御信号が出力される。次のステップＳ２０で制御周期τの間待機し、その制御周期τの経過を判定すると、ステップＳ１２に戻る。これにより、車室内が自動的に空調制御されることになる。
【００６３】
次に、本実施形態の作用効果について説明する。
【００６４】
すなわち、車両空調用電子制御装置２５において、送風ユニット１および空調ユニット２の各アクチュエータ８、１０、１５、２４を制御するための空調制御用コンピュータプログラムを記憶するフラッシュメモリ２５ｂと、空調制御用コンピュータプログラムを実行するマイクロコンピュータ２５ａとを備えており、マイクロコンピュータ２５ａは、空調制御用コンピュータプログラムの実行に際して、搭載車両のタイプ毎に異なる空調データを用いるようになっており、フラッシュメモリ２５ｃには、搭載車両のタイプ毎に空調データを示す特性グラフが複数種記憶されている。
【００６５】
ここで、マイクロコンピュータ２５ａは、初期設定時にて、搭載車両のタイプを示す車両情報をエンジンＥＣＵ４０から取得し、この取得された車両情報に基づいて、複数種の特性グラフのうち空調制御用コンピュータプログラムの実行に用いる特性グラフを選択し、複数種の特性グラフのうち、この選択される特性グラフだけをフラッシュメモリ２５ｂに残してこのされる特性グラフ以外の他のグラフをフラッシュメモリから消去することを特徴とする。
【００６６】
したがって、フラッシュメモリ２５ｂにおいては、他のグラフが消去されてその他のグラフの記憶領域（すなわち、初期設定領域Ｘａ）を空き領域とすることができるため、その空き領域を空調データ以外の他のデータの記憶領域（例えば、バックアップ領域）に利用することが可能になり、フラッシュメモリ２５ｂの記憶領域の有効利用を可能にすることができる。
【００６７】
また、本実施形態では、空調制御用コンピュータプログラムを実行する際に用いる特性グラフのデータを初期設定領域Ｘａから空調データ領域に移動しているため、フラッシュメモリ２５ｂの初期設定領域Ｘａとして、１つの空き領域を確保することができるので、空き領域が分散して配置される場合に比べて、その空き領域が利用し易くなる。
【００６８】
さらに、フラッシュメモリ２５ｂには、タイプ選択コンピュータプログラムが記憶されているものの、マイクロコンピュータ２５ａは、タイプ選択コンピュータプログラムを一度実行するとその後にタイプ選択コンピュータプログラムがフラッシュメモリ２５ｂの初期設定領域Ｘａから消去する。このため、初期設定領域Ｘａの空き領域を広くすることができる。
【００６９】
さらに、本実施形態では、フラッシュメモリ２５ｂには、複数種の特性グラフを示す複数種の空調データが圧縮された状態で記憶されているので、複数種の空調データを非圧縮状態で記憶する場合に比べて、フラッシュッメモリ２５ｂとしてその記憶領域を小さいものを用いることができる。
【００７０】
（その他の実施形態）
上述の実施形態では、記憶媒体としてフラッシュメモリ２５ｂを用いる例について説明したが、これに限らず、ＤＶＤ（デジタルビデオディスク）、ＨＤ（ハードディスク）、ＥＥＰＲＯＭなどの各種の不揮発性の記憶媒体を用いるようにしてもよい。
【００７１】
上述の実施形態では、制御回路としてマイクロコンピュータ２５ａを用いる例について説明したが、これに限らず、デジタルシグナルプロセッサーなどを用いてもよい。
【００７２】
上述の実施形態では、車両情報として走行用エンジンの種類を示す情報を用いて、その走行用エンジンの種類に対する複数種の空調データを採用した例について説明したが、これに限らず、米国、南米、アフリカ、ヨーロッパなどの車両の仕向け地を示す仕向け地情報を用いて、その仕向け地情報の種類に対する複数種の空調データを採用してもよい。
【００７３】
この場合、マイクロコンピュータ２５ａは、他の電子制御装置としてのエンジンＥＣＵ４０ではなく、それ以外の、ボデーＥＣＵ４１、ナビＥＣＵ４２などの電子制御装置から車両情報を取得するようにしてもよい。
【００７４】
また、上述の実施形態では、車両空調用電子制御装置２５としては、エンジンＥＣＵ４０以外の他の電子制御装置とも繋がっているローカルエリアネットワークを用いて、エンジンＥＣＵ４０から車両情報を取得する例について説明したが、これに限らず、次のようにしてもよい。
【００７５】
すなわち、車両空調用電子制御装置２５およびエンジンＥＣＵ４０の間だけを専用通信ラインで接続して、車両空調用電子制御装置２５が、専用通信ラインを用いた通信により、エンジンＥＣＵ４０から車両情報を取得するようにしてもよい。
【００７６】
上述の実施形態では、初期設定領域Ｘａにおいて、複数種の空調データおよびタイプ選択プログラムを記憶させる例について説明したが、これに代えて、次のようにしてもよい。
【００７７】
すなわち、車両空調用電子制御装置２５自身を検査するための検査ツール用コンピュータプログラムを初期設定領域Ｘａに記憶させておき、検査ツール用コンピュータプログラムをその実行後に消去するようにしてもよい。
【図面の簡単な説明】
【００７８】
【図１】本発明の一実施形態に係る車両用空調装置の概略構成を示す模式図である。
【図２】図１の車両空調用電子制御装置においてフラッシュメモリの記憶領域を示す模式図である。
【図３】図１の車両空調用電子制御装置及び他の電子制御装置の接続状態を示す模式図である。
【図４】図１の車両空調用電子制御装置の制御処理の一部を示す制御フローチャートである。
【図５】温水温度の特性を示す特性図である。
【図６】図１の車両空調用電子制御装置の制御処理の残りを示す制御フローチャートである。
【図７】ＴＡＯおよびブロア電圧の関係を示す特性図である。
【図８】ＴＡＯおよびエアミックスドアの目標開度の関係を示す特性図である。
【図９】ＴＡＯおよび吹き出しモードの関係を示す特性図である。
【符号の説明】
【００７９】
２５…車両空調用電子制御装置、２５ｂ…フラッシュメモリ、
２５ａ…マイクロコンピュータ、４０…エンジンＥＣＵ。
【図１】
2006082594.tif 000003
【図２】
2006082594.tif 000004
【図３】
2006082594.tif 000005
【図４】
2006082594.tif 000006
【図５】
2006082594.tif 000007
【図６】
2006082594.tif 000008
【図７】
2006082594.tif 000009
【図８】
2006082594.tif 000010
【図９】
2006082594.tif 000011